(57)【要約】【課題】衣服への取り付けを簡単な操作で行なうことができ、しかも衣服への取り付けに手間がかかったり、ピンが不用意に外れて紛失することを未然に防止し、衣服にすべり止めの歯の跡がついたり、擦り傷がついてしまうことのないブローチ等の止着構造を提供することを目的としている。【解決手段】所定の長さを有する装身具本体と、この装身具本体の背面の一方の側に取り付けた軸受部と、この軸受部に回転軸を介して軸着したピンと、ピンの回転軸への取付部の周面に形成した押圧部に当接し、押圧部を押圧してピンを閉じる方向に付勢するバネ材と、装身具本体の背面の上記軸着部とは他方の側に取り付けた、ピンの先端を収容するＵ字溝を備えた支持部と、支持部の近傍に前記ピンとは逆の向きに突設した短針とを有することを特徴とするブローチ等の止着構造。【選択図】 図２
0003130987.tif 000002
【実用新案登録請求の範囲】
【請求項１】
所定の長さを有する装身具本体と、この装身具本体の背面の一方の側に取り付けた軸受部と、この軸受部に回転軸を介して軸着したピンと、ピンの回転軸への取付部の周面に形成した押圧部に当接し、押圧部を押圧してピンを閉じる方向に付勢するバネ材と、装身具本体の背面の上記軸着部とは他方の側に取り付けた、ピンの先端を収容するＵ字溝を備えた支持部と、支持部の近傍に前記ピンとは逆の向きに突設した短針とを有することを特徴とするブローチ等の止着構造。
【請求項２】
短針が、支持部の上端に一体的に形成されていることを特徴とする請求項１に記載のブローチ等の止着構造。
【請求項３】
短針が、支持部近傍の装身具本体の背面の適所に形成されていることを特徴とする請求項１に記載のブローチ等の止着構造。
【考案の詳細な説明】
【技術分野】
【０００１】
この考案は、ブローチ等のようにピンで衣服等に装着するためのブローチ等の止着構造に関する。
【背景技術】
【０００２】
一般のブローチは、ピンを衣服に刺してピンの先端部をブローチの裏面に設けた止め具に係合させて装着している。この従来例を具体的に説明すると、いわゆる風車方式と鉄砲方式とが知られている。
【０００３】
前者の風車方式の止め具は、ブローチの裏面の一部に、フックを設け、このフックに風車片を回動自在に設け、ブローチの裏面に端部を枢着したピンの先端部をフックに係合し、次いで、風車片を回動させてフックの開口部をこの風車片により塞いでピンを取り付けるものである。
【０００４】
後者の鉄砲方式の止め具は、ブローチの裏面の一部に筒部材を設け、この筒部材の内部に板ばねを介してシリンダ筒を進退自在に設け、このシリンダ筒を筒部材の内部に押圧した状態で、ブローチの裏面に端部を枢着したピンの先端部をシリンダ筒の中央に挿入した後に離すと板ばねの弾発力によりピンがシリンダ筒の内部に挿入されて止着されるものである。
【０００５】
しかしながら、上記いずれの止め具も風車片やシリンダ筒を操作する必要があり、衣服への取り付けを両手で面倒な操作をしなければならず、衣服への取り付けに手間がかかるという問題があった。
そこで、安全ピンのようにコイル状のバネを備えたピンを装身具本体の背面に取り付けるとともに、常態では開いているピンを閉じた場合に係合するフックを、装身具本体の背面ピン先端位置に設けたブローチも知られている。
【０００６】
ところが安全ピン式の止着構造においても、ピンの先端が常に外側を向いていて指や肌を刺すという危険があり、衣服に刺し通してフックに引っ掛ける場合に、ピンのコイル状のバネに抗して衣服に刺し通したピンをその基端側で押さなければならず、非常に操作がしにくいという問題があった。
【０００７】
そのため、実開昭５２−１６５７０５号公報（特許文献１参照）に記載の考案のように、クリップ式のタイ止めのように、コイル状のバネ部を備えたピンを装身具本体の背面に取り付けるとともに、ピンの軸着位置の後部に設けたピンを操作するレバーと装身具本体の背面との間を押圧するバネを設け、ピンを衣服の所定位置に刺し通したのち、クリップ式のタイ止めのようにピンとすべり止めの歯との間で挟み付けるようにしたブローチも知られている。
【０００８】
しかしながら、実開昭５２−１６５７０５号公報（特許文献１参照）記載の方式では、クリップ式のタイ止めのようにピンとすべり止めの歯との間で挟み付けるようにしているため、使用中に外れやすく、しかも衣服にピンの孔のみならず、すべり止めの歯の跡がついたり、擦り傷がついてしまうという問題があった。
【０００９】
そこで、登録実用新案第３１１１１７１号公報（特許文献２参照）のように、所定の長さを有する装身具本体と、この装身具本体の背面の一方の側に取り付けた軸受部と、この軸受部に回転軸を介して軸着したピンと、ピンの軸着位置の後部に形成したピンを操作するレバーと、回転軸に巻回されてその両端で、上記レバーと装身具本体との間を押圧するバネと、装身具本体の背面の上記軸着部とは他方の側に取り付けたピン先端を装身具本体の背面と所定の間隔を保持するよう受け止める支持台とを有するブローチの止め具が提案されている。
【特許文献１】実開昭５２−１６５７０５号公報
【特許文献２】登録実用新案第３１１１１７１号公報
【考案の開示】
【考案が解決しようとする課題】
【００１０】
そころが、上記いずれのブローチの止め具においても、使用中に衣服の取付位置から簡単に外れてしまうという問題点は解消されていない。
そこでこの考案は、上記の従来の課題を解決するために鋭意研究の結果、開発に至ったものであり、衣服への取り付けを簡単な操作で行なうことができ、しかも衣服への取り付けに手間がかかったり、ピンが不用意に外れて紛失することを未然に防止し、衣服にすべり止めの歯の跡がついたり、擦り傷がついてしまうことのないブローチ等の止着構造を提供することを目的としている。
【課題を解決するための手段】
【００１１】
上記の目的を達成するため、この考案のブローチ等の止着構造は、所定の長さを有する装身具本体と、この装身具本体の背面の一方の側に取り付けた軸受部と、この軸受部に回転軸を介して軸着したピンと、ピンの回転軸への取付部の周面に形成した押圧部に当接し、押圧部を押圧してピンを閉じる方向に付勢するバネ材と、装身具本体の背面の上記軸着部とは他方の側に取り付けた、ピンの先端を収容するＵ字溝を備えた支持部と、支持部の近傍に前記ピンとは逆の向きに突設した短針とを有することを特徴とするものである。
【００１２】
この考案のブローチ等の止着構造は、上記短針が、支持部の上端に一体的に形成されていることをも特徴とするものである。
【００１３】
この考案のブローチ等の止着構造は、上記短針が、支持部近傍の装身具本体の背面の適所に形成されていることをも特徴とするものである。
【考案の効果】
【００１４】
この考案によれば、衣服への取り付けを簡単な操作で行なうことができ、しかも衣服への取り付けに手間がかかったり、ピンが不用意に外れて紛失することを未然に防止し、衣服にすべり止めの歯の跡がついたり、擦り傷がついてしまうことのないブローチ等の止着構造を提供することが可能となった。
【考案を実施するための最良の形態】
【００１５】
以下にこの考案におけるブローチ等の止着構造をブローチに適用した実施形態を図面に基いて説明する。
図１はこの考案のブローチ等の止着構造の１実施例を示す側面図、図２はその断面図、図３はピンを開いた状態の側面図、図４はその断面図、図５はその背面図、図６はこの考案のブローチ等の止着構造の他の実施例を示す側面図、図７はその背面図である。
【００１６】
図１ないし図５に示したこの考案におけるブローチ等の止着構造の１実施例において、装身具本体１１は植物の葉の形状等を刻設した装飾部１２を備え、所定の長さを有するように形成されている。
この装身具本体１１には、その背面の一方の側には軸受部１３が取り付けてあり、この軸受部１３に回転軸１４を介してピン１５を軸着している。
【００１７】
また装身具本体１１の背面には板状のバネ材１７が固着してあり、バネ材１７の先端は上向きに折り曲げて、ピン１５の回転軸１４への取付部の周面に形成した押圧部１６に当接させてある。なお、押圧部１６とピン１５の角度は９０°以内である、したがってバネ材１７は、常態においてはこの押圧部１６を押圧してピン１５を閉じる方向に付勢するように作用している。
【００１８】
装身具本体１１の背面の、上記軸着部１３とは所定の間隔で他方の側には、ピン１５の先端を受け止める支持部１８が取り付けてある。この支持部１８は装身具本体１１の背面上において所定の高さを有するように形成されており、ピン１５の先端を装身具本体１１の背面と所定の間隔を保持するよう受け止めるものである。
【００１９】
この考案のブローチ等の止着構造においては、上記支持部１８は、ピン１５の先端を収容するＵ字溝１９を備えており、さらにピン１５側に向けてその先端側に短針２０が形成されている。
したがって、ピン１５の先端は上記支持部１８上においてＵ字溝１９内に収容されるようになっており、しかもピン１５側に向けてその先端側に短針２０が形成されているので、この考案のブローチ等の止着構造によってブローチを衣服に取り付けた場合、ピン１５が衣服に差し込まれた上、短針２０がピン１５を引き抜く方向への移動を防止するので、ブローチが衣服から簡単に抜け落ちることがない。
なお図において２２はバネ材１７の固着部である。
【００２０】
この考案のブローチ等の止着構造の使用に際しては、図３および図４に示すようにピン１５を開放した状態とし、図２のように衣服２１にピン１５を差し込んだ上、装身具本体１１をピン１５側に倒すと、バネ材１７の先端がピン１５の回転軸１４への取付部の周面に形成した押圧部１６に当接するので、バネ材１７の付勢力を受けてピン１５は簡単には開くことがない。
そしてピン１５の先端が衣服２１から突き出した状態において、ピン１５の先端はバネ材１７の弾性力で支持部１８に収容される。
またその際、ピン１５を引き抜く方向に負荷がかかると、短針２０の先端が衣服に差し込まれてピン１５を引き抜く方向への移動を防止するので、ブローチが衣服から簡単に抜け落ちることがない。
【００２１】
ピン１５を外す場合は、短針２０の先端が衣服から引き抜かれるまでブローチを移動させた上、バネ材１７の弾性力に抗して装身具本体１１を回動させ、ピン１５を開いた状態として衣服２１から抜き取ればよい。
【００２２】
図６および図７に示したこの考案におけるブローチ等の止着構造の他の実施例において、ピン３２の先端を収容する支持部３３とは別に、装身具本体３１背面の適所に短針３４が支柱３５上に形成されており、この短針３４が衣服からブローチが抜け落ちるのを防止するのである。
【産業上の利用可能性】
【００２３】
以上のことから明らかなように、この考案のブローチ等の止着構造は、ピンを用いて装着する装身具には、ブローチ以外にも当然に応用することができる。
また、チェーン等に取り付けることによりペンダントトップとして、あるいは胸元や襟元のバッヂ等としても利用することが可能である。
【図面の簡単な説明】
【００２４】
【図１】この考案のブローチ等の止着構造の１実施例を示す側面図である。
【図２】その断面図である。
【図３】ピンを開いた状態の側面図である。
【図４】その断面図である。
【図５】その背面図である。
【図６】この考案のブローチ等の止着構造の他の実施例を示す側面図である。
【図７】その背面図である。
【符号の説明】
【００２５】
１１  装身具本体
１２  装飾部
１３  軸受部
１４  回転軸
１５  ピン
１６  押圧部
１７  バネ材
１８  支持部
１９  Ｕ字溝
２０  短針
２１  衣服
２２  固着部
３１  装身具本体
３２  ピン
３３  支持部
３４  短針
３５  支柱
【図１】
0003130987.tif 000003
【図２】
0003130987.tif 000004
【図３】
0003130987.tif 000005
【図４】
0003130987.tif 000006
【図５】
0003130987.tif 000007
【図６】
0003130987.tif 000008
【図７】
0003130987.tif 000009
【手続補正書】
【提出日】平成19年2月7日(2007.2.7)
【手続補正１】
【補正対象書類名】実用新案登録請求の範囲
【補正対象項目名】全文
【補正方法】変更
【補正の内容】
【実用新案登録請求の範囲】
【請求項１】
所定の長さを有する装身具本体と、この装身具本体の背面の一方の側に取り付けた軸受部と、この軸受部に回転軸を介して軸着したピンと、ピンの回転軸への取付部の周面に形成した押圧部に当接し、押圧部を押圧してピンを閉じる方向に付勢するバネ材と、装身具本体の背面の上記軸着部とは他方の側に取り付けた、ピンの先端を収容するＵ字溝を備えた支持部と、支持部の近傍に前記ピンとは逆の向きに突設した短針とを有することを特徴とするブローチ等の装身具。
【請求項２】
短針が、支持部の上端に一体的に形成されていることを特徴とする請求項１に記載のブローチ等の装身具。
【請求項３】
短針が、支持部近傍の装身具本体の背面の適所に形成されていることを特徴とする請求項１に記載のブローチ等の装身具。
【手続補正２】
【補正対象書類名】明細書
【補正対象項目名】全文
【補正方法】変更
【補正の内容】
【考案の詳細な説明】
【技術分野】
【０００１】
この考案は、ブローチ等のようにピンで衣服等に装着するための装身具に関する。
【背景技術】
【０００２】
一般のブローチは、ピンを衣服に刺してピンの先端部をブローチの裏面に設けた止め具に係合させて装着している。この従来例を具体的に説明すると、いわゆる風車方式と鉄砲方式とが知られている。
【０００３】
前者の風車方式の止め具は、ブローチの裏面の一部に、フックを設け、このフックに風車片を回動自在に設け、ブローチの裏面に端部を枢着したピンの先端部をフックに係合し、次いで、風車片を回動させてフックの開口部をこの風車片により塞いでピンを取り付けるものである。
【０００４】
後者の鉄砲方式の止め具は、ブローチの裏面の一部に筒部材を設け、この筒部材の内部に板ばねを介してシリンダ筒を進退自在に設け、このシリンダ筒を筒部材の内部に押圧した状態で、ブローチの裏面に端部を枢着したピンの先端部をシリンダ筒の中央に挿入した後に離すと板ばねの弾発力によりピンがシリンダ筒の内部に挿入されて止着されるものである。
【０００５】
しかしながら、上記いずれの止め具も風車片やシリンダ筒を操作する必要があり、衣服への取り付けを両手で面倒な操作をしなければならず、衣服への取り付けに手間がかかるという問題があった。
そこで、安全ピンのようにコイル状のバネを備えたピンを装身具本体の背面に取り付けるとともに、常態では開いているピンを閉じた場合に係合するフックを、装身具本体の背面ピン先端位置に設けたブローチも知られている。
【０００６】
ところが安全ピン式の装身具においても、ピンの先端が常に外側を向いていて指や肌を刺すという危険があり、衣服に刺し通してフックに引っ掛ける場合に、ピンのコイル状のバネに抗して衣服に刺し通したピンをその基端側で押さなければならず、非常に操作がしにくいという問題があった。
【０００７】
そのため、実開昭５２−１６５７０５号公報（特許文献１参照）に記載の考案のように、クリップ式のタイ止めのように、コイル状のバネ部を備えたピンを装身具本体の背面に取り付けるとともに、ピンの軸着位置の後部に設けたピンを操作するレバーと装身具本体の背面との間を押圧するバネを設け、ピンを衣服の所定位置に刺し通したのち、クリップ式のタイ止めのようにピンとすべり止めの歯との間で挟み付けるようにしたブローチも知られている。
【０００８】
しかしながら、実開昭５２−１６５７０５号公報（特許文献１参照）記載の方式では、クリップ式のタイ止めのようにピンとすべり止めの歯との間で挟み付けるようにしているため、使用中に外れやすく、しかも衣服にピンの孔のみならず、すべり止めの歯の跡がついたり、擦り傷がついてしまうという問題があった。
【０００９】
そこで、登録実用新案第３１１１１７１号公報（特許文献２参照）のように、所定の長さを有する装身具本体と、この装身具本体の背面の一方の側に取り付けた軸受部と、この軸受部に回転軸を介して軸着したピンと、ピンの軸着位置の後部に形成したピンを操作するレバーと、回転軸に巻回されてその両端で、上記レバーと装身具本体との間を押圧するバネと、装身具本体の背面の上記軸着部とは他方の側に取り付けたピン先端を装身具本体の背面と所定の間隔を保持するよう受け止める支持台とを有するブローチの止め具が提案されている。
【特許文献１】実開昭５２−１６５７０５号公報
【特許文献２】登録実用新案第３１１１１７１号公報
【考案の開示】
【考案が解決しようとする課題】
【００１０】
そころが、上記いずれのブローチの止め具においても、使用中に衣服の取付位置から簡単に外れてしまうという問題点は解消されていない。
そこでこの考案は、上記の従来の課題を解決するために鋭意研究の結果、開発に至ったものであり、衣服への取り付けを簡単な操作で行なうことができ、しかも衣服への取り付けに手間がかかったり、ピンが不用意に外れて紛失することを未然に防止し、衣服にすべり止めの歯の跡がついたり、擦り傷がついてしまうことのないブローチ等の装身具を提供することを目的としている。
【課題を解決するための手段】
【００１１】
上記の目的を達成するため、この考案のブローチ等の装身具は、所定の長さを有する装身具本体と、この装身具本体の背面の一方の側に取り付けた軸受部と、この軸受部に回転軸を介して軸着したピンと、ピンの回転軸への取付部の周面に形成した押圧部に当接し、押圧部を押圧してピンを閉じる方向に付勢するバネ材と、装身具本体の背面の上記軸着部とは他方の側に取り付けた、ピンの先端を収容するＵ字溝を備えた支持部と、支持部の近傍に前記ピンとは逆の向きに突設した短針とを有することを特徴とするものである。
【００１２】
この考案のブローチ等の装身具は、上記短針が、支持部の上端に一体的に形成されていることをも特徴とするものである。
【００１３】
この考案のブローチ等の装身具は、上記短針が、支持部近傍の装身具本体の背面の適所に形成されていることをも特徴とするものである。
【考案の効果】
【００１４】
この考案によれば、衣服への取り付けを簡単な操作で行なうことができ、しかも衣服への取り付けに手間がかかったり、ピンが不用意に外れて紛失することを未然に防止し、衣服にすべり止めの歯の跡がついたり、擦り傷がついてしまうことのないブローチ等の装身具を提供することが可能となった。
【考案を実施するための最良の形態】
【００１５】
以下にこの考案におけるブローチ等の装身具をブローチに適用した実施形態を図面に基いて説明する。
図１はこの考案のブローチ等の装身具の１実施例を示す側面図、図２はその断面図、図３はピンを開いた状態の側面図、図４はその断面図、図５はその背面図、図６はこの考案のブローチ等の装身具の他の実施例を示す側面図、図７はその背面図である。
【００１６】
図１ないし図５に示したこの考案におけるブローチ等の装身具の１実施例において、装身具本体１１は植物の葉の形状等を刻設した装飾部１２を備え、所定の長さを有するように形成されている。
この装身具本体１１には、その背面の一方の側には軸受部１３が取り付けてあり、この軸受部１３に回転軸１４を介してピン１５を軸着している。
【００１７】
また装身具本体１１の背面には板状のバネ材１７が固着してあり、バネ材１７の先端は上向きに折り曲げて、ピン１５の回転軸１４への取付部の周面に形成した押圧部１６に当接させてある。なお、押圧部１６とピン１５の角度は９０°以内である、したがってバネ材１７は、常態においてはこの押圧部１６を押圧してピン１５を閉じる方向に付勢するように作用している。
【００１８】
装身具本体１１の背面の、上記軸着部１３とは所定の間隔で他方の側には、ピン１５の先端を受け止める支持部１８が取り付けてある。この支持部１８は装身具本体１１の背面上において所定の高さを有するように形成されており、ピン１５の先端を装身具本体１１の背面と所定の間隔を保持するよう受け止めるものである。
【００１９】
この考案のブローチ等の装身具においては、上記支持部１８は、ピン１５の先端を収容するＵ字溝１９を備えており、さらにピン１５側に向けてその先端側に短針２０が形成されている。
したがって、ピン１５の先端は上記支持部１８上においてＵ字溝１９内に収容されるようになっており、しかもピン１５側に向けてその先端側に短針２０が形成されているので、この考案のブローチ等の装身具によってブローチを衣服に取り付けた場合、ピン１５が衣服に差し込まれた上、短針２０がピン１５を引き抜く方向への移動を防止するので、ブローチが衣服から簡単に抜け落ちることがない。
なお図において２２はバネ材１７の固着部である。
【００２０】
この考案のブローチ等の装身具の使用に際しては、図３および図４に示すようにピン１５を開放した状態とし、図２のように衣服２１にピン１５を差し込んだ上、装身具本体１１をピン１５側に倒すと、バネ材１７の先端がピン１５の回転軸１４への取付部の周面に形成した押圧部１６に当接するので、バネ材１７の付勢力を受けてピン１５は簡単には開くことがない。
そしてピン１５の先端が衣服２１から突き出した状態において、ピン１５の先端はバネ材１７の弾性力で支持部１８に収容される。
またその際、ピン１５を引き抜く方向に負荷がかかると、短針２０の先端が衣服に差し込まれてピン１５を引き抜く方向への移動を防止するので、ブローチが衣服から簡単に抜け落ちることがない。
【００２１】
ピン１５を外す場合は、短針２０の先端が衣服から引き抜かれるまでブローチを移動させた上、バネ材１７の弾性力に抗して装身具本体１１を回動させ、ピン１５を開いた状態として衣服２１から抜き取ればよい。
【００２２】
図６および図７に示したこの考案におけるブローチ等の装身具の他の実施例において、ピン３２の先端を収容する支持部３３とは別に、装身具本体３１背面の適所に短針３４が支柱３５上に形成されており、この短針３４が衣服からブローチが抜け落ちるのを防止するのである。
【産業上の利用可能性】
【００２３】
以上のことから明らかなように、この考案のブローチ等の装身具は、ピンを用いて装着する装身具には、ブローチ以外にも当然に応用することができる。
また、チェーン等に取り付けることによりペンダントトップとして、あるいは胸元や襟元のバッヂ等としても利用することが可能である。
【図面の簡単な説明】
【００２４】
【図１】この考案のブローチ等の装身具の１実施例を示す側面図である。
【図２】その断面図である。
【図３】ピンを開いた状態の側面図である。
【図４】その断面図である。
【図５】その背面図である。
【図６】この考案のブローチ等の装身具の他の実施例を示す側面図である。
【図７】その背面図である。
【符号の説明】
【００２５】
１１  装身具本体
１２  装飾部
１３  軸受部
１４  回転軸
１５  ピン
１６  押圧部
１７  バネ材
１８  支持部
１９  Ｕ字溝
２０  短針
２１  衣服
２２  固着部
３１  装身具本体
３２  ピン
３３  支持部
３４  短針
３５  支柱